(57)【要約】【課題】音楽再生装置による簡便且つ利用価値の高い伝言システムを提供する。【解決手段】伝言情報出力手段すなわち画像表示装置１１６により伝言情報を出力させる条件として、少なくとも出力させるカラオケ装置１４を有する店舗を指定する伝言情報出力条件指定手段１３８（ＳＡ１０乃至ＳＡ２３、ＳＢ１０、ＳＢ１８、及びＳＢ１９）を含み、伝言情報入力手段１３４（ＳＡ１０乃至ＳＡ１３、ＳＢ６）により入力された伝言情報と、上記伝言情報出力条件指定手段１３８により指定された条件とを、少なくとも顧客情報入力手段１３６（ＳＡ４乃至ＳＡ６、ＳＢ２）により入力された顧客情報と関連付けて記憶する記憶手段すなわち記憶装置１０８を含むことから、簡便な操作により入力された情報により、伝言情報に明確な意味を付与することが可能とされる。【選択図】  図２５
2004233700.tif 000002
【特許請求の範囲】
【請求項１】
選択された演奏曲を出力させる音楽再生装置と、該音楽再生装置と通信網を介して接続される通信端末とを、含む音楽再生装置による伝言システムであって、
前記音楽再生装置は、映像情報及び／又は文字情報を含む伝言情報を出力するための伝言情報出力手段を含むものであり、
前記通信端末は、前記伝言情報を入力するための伝言情報入力手段と、
顧客を識別するための顧客情報を入力するための顧客情報入力手段と、
前記伝言情報出力手段により前記伝言情報を出力させる条件として、少なくとも出力させる前記音楽再生装置又は出力させる前記音楽再生装置を有する店舗を指定する伝言情報出力条件指定手段と
を、含むものであり、
前記伝言情報入力手段により入力された伝言情報と、前記伝言情報出力条件指定手段により指定された条件とを、少なくとも前記顧客情報入力手段により入力された顧客情報と関連付けて記憶する記憶手段を含むことを特徴とする音楽再生装置による伝言システム。
【請求項２】
前記伝言情報出力条件指定手段は、前記伝言情報出力手段により前記伝言情報を出力させる条件として、更に出力させる年月日を指定するものである請求項１の音楽再生装置による伝言システム。
【請求項３】
前記伝言情報出力条件指定手段は、前記伝言情報出力手段により前記伝言情報を出力させる条件として、更に出力の切っ掛けとなる演奏曲を指定するものである請求項１又は２の音楽再生装置による伝言システム。
【請求項４】
選択された演奏曲を出力させる音楽再生装置と、該音楽再生装置と通信網を介して接続される通信端末とを、含む音楽再生装置による伝言システムであって、
前記音楽再生装置は、映像情報及び／又は文字情報を含む伝言情報を出力するための伝言情報出力手段を含むものであり、
前記通信端末は、前記伝言情報を入力するための伝言情報入力手段と、
顧客を識別するための顧客情報を入力するための顧客情報入力手段と、
前記伝言情報出力手段により前記伝言情報を出力させる条件として、少なくとも出力の切っ掛けとなる演奏曲を指定する伝言情報出力条件指定手段と
を、含むものであり、
前記伝言情報入力手段により入力された伝言情報と、前記伝言情報出力条件指定手段により指定された条件とを、少なくとも前記顧客情報入力手段により入力された顧客情報と関連付けて記憶する記憶手段を含むことを特徴とする音楽再生装置による伝言システム。
【請求項５】
前記音楽再生装置及び通信端末と前記通信網を介して接続されるサーバを含み、前記記憶手段は、該サーバに備えられたものである請求項１から４の何れかの音楽再生装置による伝言システム。
【請求項６】
前記記憶手段は、前記音楽再生装置に備えられたものである請求項１から４の何れかの音楽再生装置による伝言システム。
【請求項７】
選択された演奏曲を出力させる音楽再生装置であって、
映像情報及び／又は文字情報を含む伝言情報を出力するための伝言情報出力手段と、
該伝言情報を入力するための伝言情報入力手段と、
顧客を識別するための顧客情報を入力するための顧客情報入力手段と、
前記伝言情報出力手段により前記伝言情報を出力させる条件として、少なくとも出力の切っ掛けとなる演奏曲を指定する伝言情報出力条件指定手段と、
前記伝言情報入力手段により入力された伝言情報と、前記伝言情報出力条件指定手段により指定された条件とを、少なくとも前記顧客情報入力手段により入力された顧客情報と関連付けて記憶する記憶手段と
を、含むことを特徴とする音楽再生装置。
【請求項８】
前記伝言情報出力条件指定手段は、前記伝言情報出力手段により前記伝言情報を出力させる条件として、更に出力させる年月日を指定するものである請求項７の音楽再生装置。
【請求項９】
映像情報及び／又は文字情報を含む伝言情報を出力するための伝言情報出力手段を含む音楽再生装置に通信網を介して接続されるサーバであって、
該伝言情報を入力するための伝言情報入力手段と、
顧客を識別するための顧客情報を入力するための顧客情報入力手段と、
前記伝言情報出力手段により前記伝言情報を出力させる条件として、少なくとも出力させる前記音楽再生装置又は出力させる前記音楽再生装置を有する店舗を指定する伝言情報出力条件指定手段と、
前記伝言情報入力手段により入力された伝言情報と、前記伝言情報出力条件指定手段により指定された条件とを、少なくとも前記顧客情報入力手段により入力された顧客情報と関連付けて記憶する記憶手段と
を、含むことを特徴とするサーバ。
【請求項１０】
前記伝言情報出力条件指定手段は、前記伝言情報出力手段により前記伝言情報を出力させる条件として、更に出力させる年月日を指定するものである請求項９のサーバ。
【請求項１１】
前記伝言情報出力条件指定手段は、前記伝言情報出力手段により前記伝言情報を出力させる条件として、更に出力の切っ掛けとなる演奏曲を指定するものである請求項９又は１０のサーバ。
【請求項１２】
映像情報及び／又は文字情報を含む伝言情報を出力するための伝言情報出力手段を含む音楽再生装置に通信網を介して接続されるサーバであって、
該伝言情報を入力するための伝言情報入力手段と、
顧客を識別するための顧客情報を入力するための顧客情報入力手段と、
前記伝言情報出力手段により前記伝言情報を出力させる条件として、少なくとも出力の切っ掛けとなる演奏曲を指定する伝言情報出力条件指定手段と、
前記伝言情報入力手段により入力された伝言情報と、前記伝言情報出力条件指定手段により指定された条件とを、少なくとも前記顧客情報入力手段により入力された顧客情報と関連付けて記憶する記憶手段と
を、含むことを特徴とするサーバ。
【請求項１３】
前記伝言情報出力条件指定手段により前記伝言情報を出力させる条件が指定された際、新規に条件を指定する場合及び既に条件の指定されている伝言情報について表示が予定されていた年月日を経過した後に該条件を変更する場合に利用料金を課金する課金手段を含むものである請求項９から１２の何れかのサーバ。
【発明の詳細な説明】
【０００１】
【発明の属する技術分野】
本発明は、音楽再生装置による伝言システムに関する。
【０００２】
【従来の技術】
所定の記憶装置に予め記憶された複数の演奏曲から選択された所望の演奏曲を出力させる形式の音楽再生装置が知られている。例えば、カラオケボックス等で使用されるカラオケ装置がそれである。このカラオケ装置によれば、所定の記憶装置に予め記憶された複数のカラオケ演奏曲から選択された所望のカラオケ演奏曲を出力させると共に、そのカラオケ演奏曲の歌詞をその出力に同期して画面に表示させることができ、所望の歌をカラオケ演奏曲の伴奏を伴った状態で楽しむことができる。
【０００３】
ところで、上記音楽再生装置により音声又は映像を自動再生するシステムが提案されている。例えば、特許文献１に記載された自動再生システムがそれである。この自動再生システムでは、通常再生スケジュールテーブルを記憶するメモリと、再生データ蓄積装置から読み込んだ未再生の再生データファイルを複数保持可能な再生データメモリとを、備えた再生装置により、再生スケジュールテーブルから現時刻以後を再生指定時刻とし且つ再生データメモリに未保持のファイル名を再生順に順次取得し、そのファイル名の再生データファイルを再生データメモリに書き込み可能と判定すると再生データ蓄積装置からその再生データファイルを読み込み、再生データメモリに書き込む。また、再生スケジュールテーブルから現時刻が再生指定時刻になった再生データファイルを検出すると、そのファイルから順に再生データを再生データメモリから読み出して順次再生出力する。このようにすれば、多くの種類の再生データを連続的に再生出力できる。
【０００４】
【特許文献１】
特開２０００−５６７８４号公報
【０００５】
【発明が解決しようとする課題】
前述の自動再生システムの一態様として、音楽再生装置による伝言システムが実用化されている。しかし、斯かる伝言システムは、管理会社に伝言をメールで依頼する等の煩雑な登録作業が必要とされるものであった。また、そうして登録された伝言は、曲間にアト・ランダムに出力されるものであったことから、その伝言に明確な意味を付与することができず利用価値が低かった。このため、音楽再生装置による伝言システムはほとんど利用されていないのが現状である。
【０００６】
本発明は、以上の事情を背景として為されたものであり、その目的とするところは、音楽再生装置による簡便且つ利用価値の高い伝言システムを提供することにある。
【０００７】
【課題を解決するための第１の手段】
斯かる目的を達成するために、本第１発明の要旨とするところは、選択された演奏曲を出力させる音楽再生装置と、その音楽再生装置と通信網を介して接続される通信端末とを、含む音楽再生装置による伝言システムであって、前記音楽再生装置は、映像情報及び／又は文字情報を含む伝言情報を出力するための伝言情報出力手段を含むものであり、前記通信端末は、前記伝言情報を入力するための伝言情報入力手段と、顧客を識別するための顧客情報を入力するための顧客情報入力手段と、前記伝言情報出力手段により前記伝言情報を出力させる条件として、少なくとも出力させる前記音楽再生装置又は出力させる前記音楽再生装置を有する店舗を指定する伝言情報出力条件指定手段とを、含むものであり、前記伝言情報入力手段により入力された伝言情報と、前記伝言情報出力条件指定手段により指定された条件とを、少なくとも前記顧客情報入力手段により入力された顧客情報と関連付けて記憶する記憶手段を含むことを特徴とするものである。
【０００８】
【第１発明の効果】
このようにすれば、前記伝言情報出力手段により前記伝言情報を出力させる条件として、少なくとも出力させる前記音楽再生装置又は出力させる前記音楽再生装置を有する店舗を指定する伝言情報出力条件指定手段を含み、前記伝言情報入力手段により入力された伝言情報と、前記伝言情報出力条件指定手段により指定された条件とを、少なくとも前記顧客情報入力手段により入力された顧客情報と関連付けて記憶する記憶手段を含むことから、前記伝言情報に明確な意味を付与することが可能とされ、音楽再生装置による簡便且つ利用価値の高い伝言システムを提供することができる。
【０００９】
【第１発明の他の態様】
ここで、好適には、前記伝言情報出力条件指定手段は、前記伝言情報出力手段により前記伝言情報を出力させる条件として、更に出力させる年月日を指定するものである。このようにすれば、前記伝言情報に更に明確な意味を付与することが可能となるという利点がある。
【００１０】
また、好適には、前記伝言情報出力条件指定手段は、前記伝言情報出力手段により前記伝言情報を出力させる条件として、更に出力の切っ掛けとなる演奏曲を指定するものである。このようにすれば、所望の演奏曲を切っ掛けとして前記伝言情報を出力することができ、前記伝言情報をその演奏曲との相乗効果によってより効果的に見せることが可能となるという利点がある。
【００１１】
【課題を解決するための第２の手段】
また、前記課題を解決するために、本第２発明の要旨とするところは、選択された演奏曲を出力させる音楽再生装置と、その音楽再生装置と通信網を介して接続される通信端末とを、含む音楽再生装置による伝言システムであって、前記音楽再生装置は、映像情報及び／又は文字情報を含む伝言情報を出力するための伝言情報出力手段を含むものであり、前記通信端末は、前記伝言情報を入力するための伝言情報入力手段と、顧客を識別するための顧客情報を入力するための顧客情報入力手段と、前記伝言情報出力手段により前記伝言情報を出力させる条件として、少なくとも出力の切っ掛けとなる演奏曲を指定する伝言情報出力条件指定手段とを、含むものであり、前記伝言情報入力手段により入力された伝言情報と、前記伝言情報出力条件指定手段により指定された条件とを、少なくとも前記顧客情報入力手段により入力された顧客情報と関連付けて記憶する記憶手段を含むことを特徴とするものである。
【００１２】
【第２発明の効果】
このようにすれば、前記伝言情報出力手段により前記伝言情報を出力させる条件として、少なくとも出力の切っ掛けとなる演奏曲を指定する伝言情報出力条件指定手段を含み、前記伝言情報入力手段により入力された伝言情報と、前記伝言情報出力条件指定手段により指定された条件とを、少なくとも前記顧客情報入力手段により入力された顧客情報と関連付けて記憶する記憶手段を含むことから、所望の演奏曲を切っ掛けとして前記伝言情報を出力することができ、前記伝言情報をその演奏曲との相乗効果によってより効果的に見せることが可能とされる。すなわち、音楽再生装置による簡便且つ利用価値の高い伝言システムを提供することができる。
【００１３】
【第１又は第２発明の他の態様】
ここで、好適には、前記音楽再生装置及び通信端末と前記通信網を介して接続されるサーバを含み、前記記憶手段は、そのサーバに備えられたものである。このようにすれば、そのサーバにより伝言情報を集中管理し、各音楽再生装置にその伝言情報を適宜配信することで、それらの音楽再生装置の負荷を可及的に低減できるという利点がある。
【００１４】
また、好適には、前記記憶手段は、前記音楽再生装置に備えられたものである。このようにすれば、複数の音楽再生装置に負荷を分散することで伝言情報入出力の応答性を高められるという利点がある。
【００１５】
【課題を解決するための第３の手段】
また、前記課題を解決するために、本第３発明の要旨とするところは、選択された演奏曲を出力させる音楽再生装置であって、映像情報及び／又は文字情報を含む伝言情報を出力するための伝言情報出力手段と、その伝言情報を入力するための伝言情報入力手段と、顧客を識別するための顧客情報を入力するための顧客情報入力手段と、前記伝言情報出力手段により前記伝言情報を出力させる条件として、少なくとも出力の切っ掛けとなる演奏曲を指定する伝言情報出力条件指定手段と、前記伝言情報入力手段により入力された伝言情報と、前記伝言情報出力条件指定手段により指定された条件とを、少なくとも前記顧客情報入力手段により入力された顧客情報と関連付けて記憶する記憶手段とを、含むことを特徴とするものである。
【００１６】
【第３発明の効果】
このようにすれば、前記伝言情報出力手段により前記伝言情報を出力させる条件として、少なくとも出力の切っ掛けとなる演奏曲を指定する伝言情報出力条件指定手段を含み、前記伝言情報入力手段により入力された伝言情報と、前記伝言情報出力条件指定手段により指定された条件とを、少なくとも前記顧客情報入力手段により入力された顧客情報と関連付けて記憶する記憶手段を含むことから、前記伝言情報に明確な意味を付与することが可能とされ、簡便且つ利用価値の高い伝言システムを実現する音楽再生装置を提供することができる。
【００１７】
【第３発明の他の態様】
ここで、好適には、前記伝言情報出力条件指定手段は、前記伝言情報出力手段により前記伝言情報を出力させる条件として、更に出力させる年月日を指定するものである。このようにすれば、前記伝言情報に更に明確な意味を付与することが可能となるという利点がある。
【００１８】
【課題を解決するための第４の手段】
また、前記課題を解決するために、本第４発明の要旨とするところは、映像情報及び／又は文字情報を含む伝言情報を出力するための伝言情報出力手段を含む音楽再生装置に通信網を介して接続されるサーバであって、その伝言情報を入力するための伝言情報入力手段と、顧客を識別するための顧客情報を入力するための顧客情報入力手段と、前記伝言情報出力手段により前記伝言情報を出力させる条件として、少なくとも出力させる前記音楽再生装置又は出力させる前記音楽再生装置を有する店舗を指定する伝言情報出力条件指定手段と、前記伝言情報入力手段により入力された伝言情報と、前記伝言情報出力条件指定手段により指定された条件とを、少なくとも前記顧客情報入力手段により入力された顧客情報と関連付けて記憶する記憶手段とを、含むことを特徴とするものである。
【００１９】
【第４発明の効果】
このようにすれば、前記伝言情報出力手段により前記伝言情報を出力させる条件として、少なくとも出力させる前記音楽再生装置又は出力させる前記音楽再生装置を有する店舗を指定する伝言情報出力条件指定手段を含み、前記伝言情報入力手段により入力された伝言情報と、前記伝言情報出力条件指定手段により指定された条件とを、少なくとも前記顧客情報入力手段により入力された顧客情報と関連付けて記憶する記憶手段を含むことから、前記伝言情報に明確な意味を付与することが可能とされ、音楽再生装置による簡便且つ利用価値の高い伝言システムを実現するサーバを提供することができる。
【００２０】
【第４発明の他の態様】
ここで、好適には、前記伝言情報出力条件指定手段は、前記伝言情報出力手段により前記伝言情報を出力させる条件として、更に出力させる年月日を指定するものである。このようにすれば、前記伝言情報に更に明確な意味を付与することが可能となるという利点がある。
【００２１】
また、好適には、前記伝言情報出力条件指定手段は、前記伝言情報出力手段により前記伝言情報を出力させる条件として、更に出力の切っ掛けとなる演奏曲を指定するものである。このようにすれば、所望の演奏曲を切っ掛けとして前記伝言情報を出力することができ、前記伝言情報をその演奏曲との相乗効果によってより効果的に見せることが可能となるという利点がある。
【００２２】
【課題を解決するための第５の手段】
また、前記課題を解決するために、本第５発明の要旨とするところは、映像情報及び／又は文字情報を含む伝言情報を出力するための伝言情報出力手段を含む音楽再生装置に通信網を介して接続されるサーバであって、その伝言情報を入力するための伝言情報入力手段と、顧客を識別するための顧客情報を入力するための顧客情報入力手段と、前記伝言情報出力手段により前記伝言情報を出力させる条件として、少なくとも出力の切っ掛けとなる演奏曲を指定する伝言情報出力条件指定手段と、前記伝言情報入力手段により入力された伝言情報と、前記伝言情報出力条件指定手段により指定された条件とを、少なくとも前記顧客情報入力手段により入力された顧客情報と関連付けて記憶する記憶手段とを、含むことを特徴とするものである。
【００２３】
【第５発明の効果】
このようにすれば、前記伝言情報出力手段により前記伝言情報を出力させる条件として、少なくとも出力の切っ掛けとなる演奏曲を指定する伝言情報出力条件指定手段を含み、前記伝言情報入力手段により入力された伝言情報と、前記伝言情報出力条件指定手段により指定された条件とを、少なくとも前記顧客情報入力手段により入力された顧客情報と関連付けて記憶する記憶手段を含むことから、所望の演奏曲を切っ掛けとして前記伝言情報を出力することができ、前記伝言情報をその演奏曲との相乗効果によってより効果的に見せることが可能とされる。すなわち、音楽再生装置による簡便且つ利用価値の高い伝言システムを実現するサーバを提供することができる。
【００２４】
【第４又は第５発明の他の態様】
ここで、好適には、前記伝言情報出力条件指定手段により前記伝言情報を出力させる条件が指定された場合に、その指定内容に応じて利用料金を課金する課金手段を含むものである。このようにすれば、新規に条件を指定する場合や、既に条件の指定されている伝言情報について表示が予定されていた年月日を経過した後にその条件を変更する場合には所定の利用料金を課金し、その他の場合、例えば既に条件の指定されている伝言情報について表示が予定されている年月日以前にその条件を変更する場合には利用料金を課金しないことで、合理的な課金が実現できるという利点がある。
【００２５】
【実施例】
以下、本発明の好適な実施例を図面に基づいて詳細に説明する。
【００２６】
図１は、本発明の一実施例である音楽再生装置による伝言システム１０について説明する図である。この図１において、通信端末である多数の携帯電話機１２は、複数の中継基地局１６を介して無線の通信チャンネルに接続され、その複数の中継基地局１６に接続された中央演算処理装置１８によりそれぞれの接続が制御されるようになっている。この中央演算処理装置１８には、プロトコルを翻訳することによりチェックする機能を有するゲートウェイ２０、公衆電話回線、有線放送用ケーブル、又は光ファイバ等による広域通信網（インターネット）２２を介して音楽再生装置である複数のカラオケ装置１４と、伝言サービス提供会社のサーバ２４とが、接続されている。
【００２７】
図２は、上記携帯電話機１２の操作部２６を説明する図であり、（ａ）は開いた様子を、（ｂ）は折り畳んだ様子を示している。この図２に示すように、斯かる携帯電話機１２における折り畳まれることで相対向する１対の面には、入力部２６を構成するところの１２個の文字入力釦２８、開始釦３０、電源釦３２、左右上下の移動釦３４、メール釦３６、クリア釦３８、決定釦４０、及び画像表示装置として機能する表示部４２が設けられている。また、背面にはレンズ４４が取り付けられており、側部にはシャッタ釦４６が設けられている。
【００２８】
上記文字入力釦２８は、所望する文字を入力するための釦（スイッチ）であり、その文字入力釦２８が押されることにより、また必要に応じて所定の文字変換操作が行われることにより、所望する文字が上記表示部４２に表示される。上記開始釦３０は、電話をかけたりメールを送信したりするための釦であり、上記表示部４２に所定の電話番号が表示されている際にその開始釦３０が押されることにより、その電話番号に電話をかけられる。また、その表示部４２に所定のメールアドレスが表示されている際にその開始釦３０が押されることにより、そのメールアドレスにメールが送信される。上記電源釦３２は、通話を中止したり電源を入れたりするための釦であり、通話中にその電源釦３２が押されることにより、その通話が中止される。また、電源がオフである際にその電源釦３２が押されることにより、電源がオンの状態となる。上記移動釦３４は、上記表示部４２に表示されるカーソルを左右上下に移動させるため等に押される釦である。上記メール釦３６は、メール管理モードに入るため等に押される釦である。上記クリア釦３８は、上記表示部４２に表示された文字を消すため等に押される釦である。上記決定釦４０は、上記表示部４２に表示された内容で各種設定の項目を決定したり、文字変換を決定したりするため等に押される釦である。
【００２９】
図３は、前記携帯電話機１２の構成を説明するブロック線図である。この図３に示す制御部４８は、予めＲＯＭ５０に記憶されたプログラムに従って入力信号を処理し、前述の操作部２６の入力に従って文字入力が実行されるように制御したり、前記操作部２６から入力された電話番号に従って通信或いは通話チャンネルを成立させると共に相互の通信或いは通話が可能となるように制御したり、メールの作成及び送受信の制御を実行したりする。通話状態においては、アンテナ７２ａを介して送受信部５８に受けた通話信号等がモデム部６０を介して音声コーディック部６２においてデジタルコード信号から音声信号に変換され、アナログフロントエンド６４により音声出力器（スピーカ）７０が駆動されて音声が出力される。同時に、マイクロホン６８により音声から変換された音声信号が上記アナログフロントエンド６４を介して上記音声コーディック部６２に送られてそこでデジタル信号に変換され、上記モデム部６０、送受信部５８、及びアンテナ７２ａを介して送信される。また、通信状態において、上記制御部４８は、前記操作部２６から入力された信号を通信先へ送信すると同時に、通信先から受信された信号を前記表示部４２に表示させる。また、他の携帯電話機１２からの着信があったと判定した場合には、予め記憶部（フラッシュＲＯＭ）５２に記憶された着メロデータに基づき、所定の着信メロディーを上記スピーカ７０から出力させるようにメロディー発生器５４を駆動させる。また、前記携帯電話機１２には、前記カラオケ装置１４等へ所定の情報をブルートゥースで出力させるためのブルートゥースモジュール５６及びそのアンテナ７２ｂが備えられている。
【００３０】
また、前記携帯電話機１２は、前記レンズ４４、シャッタ釦４６、及びＣＣＤ６６を備えていることで、静止画や動画を撮像し得る所謂デジタルカメラとしても機能する。すなわち、前記シャッタ釦４６が押されることにより前記レンズ４４を介して映像が取り込まれ、その映像が前記ＣＣＤ６６により映像信号に変換された後、その映像情報が前記記憶部５２に記憶される。そうして撮影された映像情報は、前記表示部４２の背景画像（壁紙）として用いられたり、メールに添付される等して通信先へ送信されたりする。
【００３１】
図４は、前記伝言サービス提供会社のサーバ２４の構成を説明するブロック線図である。この図４に示すように、前記サーバ２４は、前記広域通信網２２に接続されたターミナルアダプタ７４にそれぞれデータバス７６を介して接続されたＣＰＵ７８、ＲＯＭ８０、ＲＡＭ８２、記憶装置（ＨＤＤ）８４等を備えた所謂コンピュータであり、更に、ＣＲＴコントローラ８６により制御される画像表示装置８８、インターフェース９０を介して上記データバス７６に接続されたキーボード９２、最新のカラオケ演奏曲、着メロのデータ等を入力するためのＣＤ−ＲＯＭドライブ９４、及びプリンタ９６を備えている。上記記憶装置８４には、ＭＩＤＩ曲データベース、会員登録用データベース、メッセージ登録用データベース、及び店舗用データベースが設けられている。
【００３２】
上記ＭＩＤＩ曲データベースは、多数のカラオケ演奏曲をＭＩＤＩ（Ｍｕｓｉｃａｌ  Ｉｎｓｔｒｕｍｅｎｔ  Ｄｉｇｉｔａｌ  Ｉｎｔｅｒｆａｃｅ）形式で格納するデータベースであり、例えば図７に示すように、その曲の選曲番号、曲名、背景画ジャンル、演奏データ、及び歌詞データ等が記憶されるようになっている。上記会員登録用データベースは、本実施例の伝言システム１０を利用する顧客（会員）に関する情報を格納するデータベースであり、例えば図８に示すように、その会員の会員ナンバー、氏名、住所、電話番号、パスワード、入会年月日、会員有効年月日、伝言システムの累積利用料金、支払方法・口座番号等が記憶されるようになっている。上記メッセージ登録用データベースは、映像情報及び／又は文字情報から成る伝言情報（メッセージ情報）を格納するデータベースであり、例えば図９に示すように、そのメッセージ情報の登録ナンバー、そのメッセージ情報を入力した会員の会員ナンバー、出力させる店舗名、出力させる年月日、出力の切っ掛けとなる演奏曲の選曲番号、出力させるタイミング、登録されたメッセージ情報、及び送信済フラグが記憶されるようになっている。上記店舗用データベースは、前記カラオケ装置１４を有する店舗の情報を格納するデータベースであり、例えば図１０に示すように、その店舗の店舗ナンバー、店舗名、その店舗のオーナ名、住所、各種情報の配信先電話番号、及び連絡先電話が記憶されるようになっている。なお、この店舗ナンバーは、店舗に設置された前記カラオケ装置１４を直接指定する装置ナンバー（装置情報）であってもよい。
【００３３】
図５は、前記カラオケ装置１４の構成を説明するブロック線図である。この図５に示すように、前記カラオケ装置１４は、前記広域通信網２２に接続されたターミナルアダプタ９８にそれぞれデータバス１００を介して接続されたＣＰＵ１０２、ＲＯＭ１０４、ＲＡＭ１０６、記憶装置（ＨＤＤ）１０８等を備えた所謂コンピュータであり、カラオケ演奏時には、背景画像再生装置１１０により再生された背景画像と、上記記憶装置１０８から読み出されてＣＰＵ１０２及びＣＲＴコントローラ１１２により再生された歌詞テロップとが、映像合成装置（ビデオミキサ）１１４により合成されてＣＲＴ等の画像表示装置１１６に表示されるようになっている。また、上記記憶装置１０８から読み出されてＪＰＥＧ／ＭＰＥＧデコーダ１１８により変換されたＪＰＥＧ（Ｊｏｉｎｔ  Ｐｈｏｔｏｇｒａｐｈｉｃ  Ｅｘｐｅｒｔｓ  Ｇｒｏｕｐ）形式又はＭＰＥＧ（Ｍｏｖｉｎｇ  Ｐｉｃｔｕｒｅ  Ｅｘｐｅｒｔｓ  Ｇｒｏｕｐ）形式の映像情報が、上記映像合成装置１１４を介して上記画像表示装置１１６に表示されるようになっている。また、上記記憶装置１０８から読み出されてＭＩＤＩ音源を備えたシンセサイザ１２０により変換された演奏信号がアンプ１２２により増幅され、スピーカ１２４からカラオケ演奏音として出力されるようになっている。入力装置として機能するフロント操作パネル１２６は、前記カラオケ装置１４に演奏させる演奏曲の選択をしたり、演奏音の音程を調整したり、演奏曲と歌との音量バランスを調整したり、その他、エコー、音量、トーンなど各種調整を行うための操作ボタン或いはツマミを備えたパネルであり、その操作情報がＩ／Ｏインターフェース１２８を介して前記ＣＰＵ１０２に入力されるようになっている。また、上記フロント操作パネル１２６の機能を遠隔的に実行するために、前記カラオケ装置１４には、フロント操作パネル１２６と同様に入力装置として機能する前記携帯電話機１２からのブルートゥース信号を受けて上記ＣＰＵ１０２へ出力するためのアンテナ１３０及びブルートゥースモジュール１３２を備えている。また、上記記憶装置１０８には、メッセージデータベース及びＭＩＤＩ曲データベースが、上記ＲＡＭ１０６には、予約曲データベースがそれぞれ記憶されている。
【００３４】
上記メッセージデータベースは、前記サーバ２４の記憶装置８４に設けられた登録メッセージデータベースから読み出されて送られてきた伝言情報（メッセージ情報）を格納するデータベースであり、例えば図１１に示すように、そのメッセージ情報の登録ナンバー（登録番号）、出力させる年月日、出力の切っ掛けとなる演奏曲の選曲番号、出力させるタイミング、及び登録されたメッセージ情報が記憶されるようになっている。上記ＭＩＤＩ曲データベースは、前記サーバ２４の記憶装置８４に設けられたＭＩＤＩ曲データベースと同様に、多数のカラオケ演奏曲をＭＩＤＩ形式で格納するデータベースであり、例えば図１２に示すように、その曲の選曲番号、曲名、背景画ジャンル、演奏データ、及び歌詞データ等が記憶されるようになっている。上記予約曲データベースは、前記フロント操作パネル１２６等から入力された予約曲の選曲番号を格納するデータベースであり、例えば図１３に示すように、その予約曲の選曲番号及びメッセージ情報の登録ナンバーが、演奏順に記憶されるようになっている。この予約曲データベースに記憶された演奏曲のうち、メッセージ情報の登録ナンバーと共に記憶されているものは、そのメッセージ情報の出力の切っ掛けとして指定された演奏曲である。
【００３５】
図６は、前記携帯電話機１２の制御部４８、前記カラオケ装置１４のＣＰＵ１０２、及び前記サーバ２４のＣＰＵ７８の制御機能の要部を説明する機能ブロック線図である。この図６に示す伝言情報入力手段１３４は、ユーザの入力操作に従って伝言情報を入力する。この伝言情報は、ＪＰＥＧ形式の静止画やＭＰＥＧ形式の動画等の映像情報及び／又は文字情報を含むものであり、前記カラオケ装置１４のＣＲＴコントローラ１１２、映像合成装置１１４、及びＪＰＥＧ／ＭＰＥＧデコーダ１１８を介して、画像表示装置１１６により出力される。また、この伝言情報には、音声情報が含まれていてもよい。すなわち、前記カラオケ装置１４の画像表示装置１１６は、上記伝言情報を出力するための伝言情報出力手段として機能し、前記記憶装置１０８から読み出されてＪＰＥＧ／ＭＰＥＧデコーダ１１８により変換されたＪＰＥＧ形式の静止画やＭＰＥＧ形式の動画等の映像情報と、前記記憶装置１０８から読み出されて前記ＣＲＴコントローラ１１２により再生された文字情報とが、前記映像合成装置１１４により合成されて前記画像表示装置１１６に表示される。この画像表示装置１１６に表示される伝言情報の態様としては、ユーザにより撮像された映像情報のみから成るもの、歌詞テロップのようにデフォルトの画像とユーザにより入力された文字情報とが合成されたもの、或いはユーザにより撮像された映像情報とユーザにより入力された文字情報とが合成されたもの等が考えられる。
【００３６】
顧客情報入力手段１３６は、ユーザである顧客を識別するための顧客情報を入力する。この顧客情報は、例えば前述した図８に示すように、会員ナンバー、氏名、及び住所等の様々な情報を含むものであるが、ここでは特に会員ナンバー（顧客ＩＤ）を指し、更にパスワードを含むものであってもよい。すなわち、この顧客情報入力手段１３６は、顧客を個々に識別するための会員ナンバー、若しくはそれに加えてその会員ナンバー毎に定められるその顧客が本人であるか否かを判断するためのパスワードを、必要に応じて入力する。
【００３７】
伝言情報出力条件指定手段１３８は、年月日指定手段１４０、店舗指定手段１４２、演奏曲指定手段１４４、及びタイミング指定手段１４６を含むものであり、伝言情報出力手段すなわち前記画像表示装置１１６により前記伝言情報を出力させる条件として、出力させる年月日、出力させるカラオケ装置１４を有する店舗、出力の切っ掛けとなる演奏曲、及びその演奏曲を切っ掛けとしてのタイミング等を指定する。
【００３８】
年月日指定手段１４０は、前記伝言情報を出力させる年月日（日時）を指定するものであり、ユーザが店舗を訪れて前記カラオケ装置１４を使用する年月日が指定される。この指定の態様としては、出力させる年を自明のものとして月日のみを指定するもの、その年月日における時間帯までも指定するもの、或いは所定の期間に含まれる年月又は年月日を指定する期間指定等が考えられる。
【００３９】
店舗指定手段１４２は、前記伝言情報を出力させるカラオケ装置１４を有する店舗を指定する。すなわち、例えば前述した図１０に示すように前記サーバ２４に備えられた記憶装置８４の店舗用データベースに記憶された店舗名又は店舗ナンバーを指定する。この指定は、単一の店舗のみを指定するものであってもよいし、各地に複数の店舗をフランチャイズ・チェーン店として展開するチェーン店名を指定するチェーン店指定、複数の店舗を指定する広域指定、又はある地域（市単位或いは県単位）に存在する店舗を指定する地域指定等であっても構わない。また、逆にある店舗に設置された前記カラオケ装置１４を直接指定する装置指定であってもよい。
【００４０】
演奏曲指定手段１４４は、前記伝言情報の出力の切っ掛けとなる演奏曲を指定する。すなわち、例えば前述した図９に示すように前記サーバ２４に備えられた記憶装置８４のＭＩＤＩ曲データベースに記憶された演奏曲の選曲番号又は曲名を指定する。また、タイミング指定手段１４６は、その演奏曲を切っ掛けとして前記伝言情報を出力させるタイミングを指定する。前記伝言情報は、カラオケ演奏の前後或いは間奏中に前記画像表示装置１１６に表示されるものであり、これら演奏曲指定手段１４４及びタイミング指定手段１４６は、所定の演奏曲が演奏される直前、所定の演奏曲が演奏された直後、或いは所定の演奏曲の間奏中に前記伝言情報が出力されるように指定する。また、この演奏曲指定手段１４４により指定される演奏曲は、好適には、前記カラオケ装置１４のＲＡＭ１０６に読み出されることで、そのまま予約曲として前述した図１３に示す予約曲データベースに記憶される。
【００４１】
前記伝言情報入力手段１３４により入力された伝言情報と、前記伝言情報出力条件指定手段１３８により指定された条件とは、前記顧客情報入力手段１３６により入力された顧客情報と関連付けられた状態で、例えば前述した図９に示すように前記サーバ２４に備えられた記憶装置８４のメッセージ登録用データベースに記憶されてそのサーバ２４により集中管理される。そして、前記広域通信網２２を介して接続された複数のカラオケ装置１４に適宜配信されて、例えば前述した図１１に示すように、前記記憶装置１０８に設けられたメッセージデータベースに記憶される。すなわち、前記サーバ２４に備えられた記憶装置８４は、前記伝言情報入力手段１３４により入力された伝言情報と、前記伝言情報出力条件指定手段１３８により指定された条件とを、少なくとも前記顧客情報入力手段１３６により入力された顧客情報と関連付けた状態で記憶する記憶手段として機能する。
【００４２】
課金手段１４８は、前記伝言情報出力条件指定手段１３８により前記伝言情報を出力させる条件が指定された場合に、その指定内容に応じて利用料金を課金する。すなわち、新規に条件を指定する場合や、既に条件の指定されている伝言情報について表示が予定されていた年月日を経過した後にその条件を変更する場合には所定の利用料金を課金し、その他の場合、例えば既に条件の指定されている伝言情報について表示が予定されている年月日以前にその条件を変更する場合には利用料金を課金しない。この課金手段１４８により課金された利用料金は、前記顧客条件入力手段１３６により入力された顧客情報と関連付けた状態で前記記憶装置８４の会員登録用データベースに記憶される。
【００４３】
図１４乃至１６は、前記携帯電話機１２の制御部４８の制御作動の要部を説明するフローチャートであって、伝言情報入力制御ルーチン及び伝言情報出力条件指定制御ルーチンを示しており、所定の周期で繰り返し実行されるものである。先ず、図１４に示すステップ（以下、ステップを省略する）ＳＡ１において、前記表示部４２に表示された所定の選択肢のうちから、ビデオメッセージサービス（伝言情報サービス）が選択されたか否かが判断される。このＳＡ１の判断が否定される場合には、図示しないその他の処理が実行されるが、ＳＡ１の判断が肯定される場合には、ＳＡ２において、前記サーバ２４にトップメニュー画面の表示データが要求され、送られてきた表示データに基づき図１７に示すようなトップメニュー画面が表示される。斯かるトップメニュー画面では、「会員登録」、「メッセージの登録」、「登録メッセージの確認」、「メッセージの削除」、「曲の予約」、及び「着メロ」等の設定が選択できるようになっている。
【００４４】
次に、ＳＡ３において、上記トップメニュー画面にて「会員登録」が選択されたか否かが判断される。このＳＡ３の判断が否定される場合には、ＳＡ９において、上記トップメニュー画面にて「メッセージの登録」が選択されたか否かが判断されるが、ＳＡ３の判断が肯定される場合には、ＳＡ４において、前記サーバ２４に会員登録画面の表示データが要求され、送られてきた表示データに基づき図１８に示すような会員登録画面が表示される。斯かる会員登録画面では、「氏名」、「住所」、「電話番号」、「パスワード」、及び「支払方法」が入力できると共に、「登録」又は「中止」が選択できるようになっている。そして、ＳＡ５において、登録が行われたか否かが判断される。このＳＡ５の判断が否定される場合、すなわち上記会員登録画面にて「中止」が選択された場合には、ＳＡ８において、上記トップメニュー画面が表示された後、ＳＡ３以下が再び実行されるが、ＳＡ５の判断が肯定される場合、すなわち上記会員登録画面にて全ての項目が埋められ且つ「登録」が選択された場合には、ＳＡ６において、その登録データが前記サーバ２４に送信され、ＳＡ７において、そのサーバ２４から折り返し送られてきた表示データに基づき会員登録が完了した旨の画面が表示される。そして、ＳＡ８において、上記トップメニュー画面が表示された後、ＳＡ３以下が再び実行される。以上のＳＡ４乃至ＳＡ６が、前記顧客情報入力手段１３６に対応する。
【００４５】
ＳＡ９の判断が否定される場合、すなわち上記トップメニュー画面にて「メッセージの登録」が選択されなかったと判断される場合には、図１５に示すＳＡ１９において、上記トップメニュー画面にて「登録メッセージの確認」が選択されたか否かが判断されるが、ＳＡ９の判断が肯定される場合、すなわち上記トップメニュー画面にて「メッセージの登録」が選択されたと判断される場合には、ＳＡ１０において、前記サーバ２４にメッセージの登録画面の表示データが要求され、送られてきた表示データに基づき例えば図１９に示すようなメッセージの登録画面が表示される。この図１９に示すように、斯かるメッセージの登録画面では、「会員ナンバー」、「パスワード」、及び「メッセージ」が入力でき、「登録」又は「中止」が選択できると共に、ＪＰＥＧファイル（静止画）又はＭＰＥＧファイル（動画）等の画像ファイルが添付（貼り付け）できるようになっている。この「メッセージ」に入力されたテキストが前記文字情報に対応し、ここに添付される画像ファイルが前記映像情報に対応する。そして、ＳＡ１１において、登録が中止されたか否か、すなわち上記メッセージの登録画面にて「中止」が選択されたか否かが判断される。このＳＡ１１の判断が肯定される場合には、ＳＡ８において、前記トップメニュー画面が表示された後、ＳＡ３以下が再び実行されるが、ＳＡ１１の判断が肯定される場合には、ＳＡ１２において、上記メッセージの登録画面にて全ての項目が埋められ且つ「登録」が選択されたか否かが判断される。このＳＡ１２の判断が否定される場合には、上記ＳＡ１１以下が再び実行されるが、ＳＡ１２の判断が肯定される場合には、ＳＡ１３において、その登録データ及び会員ナンバー等が前記サーバ２４に送信された後、図１５に示すＳＡ１４において、その登録がエラーであるか否かが前記サーバ２４からの通知に基づいて判断される。以上のＳＡ１０乃至ＳＡ１３が、前記伝言情報入力手段１３４に対応する。
【００４６】
ＳＡ１４の判断が肯定される場合、すなわち前記サーバ２４に送信された会員ナンバーやパスワード、及び登録データがエラーであると前記サーバ２４において判断されてエラーが通知された場合には、図示しないエラー通知画面にてその旨が表示され、ＳＡ８において、前記トップメニュー画面が表示された後、ＳＡ３以下が再び実行されるが、ＳＡ１４の判断が否定される場合、すなわち前記サーバ２４に送信された会員ナンバーやパスワード、及び登録データがエラーでないと前記サーバ２４において判断された場合には、そのサーバ２４から表示データが送られてきて、ＳＡ１５において、前記サーバ２４から送られてきたその登録通知及び表示条件の設定画面の表示データに基づき図２０に示すような登録通知及び表示条件の設定画面が表示される。斯かる登録通知及び表示条件の設定画面では、登録された伝言情報（メッセージ情報）を個々に識別するための伝言情報識別情報としての「登録番号（登録ナンバー）」が表示される。また、そのメッセージ情報の出力される「カラオケ店（店舗名）」、「年月日（日時）」、「表示タイミング」、及び「選曲番号」が入力できると共に、「登録」又は「中止」が選択できるようになっている。そして、ＳＡ１６において、登録が中止されたか否か、すなわち上記登録通知及び表示条件の設定画面にて「中止」が選択されたか否かが判断される。このＳＡ１６の判断が肯定される場合には、ＳＡ８において、前記トップメニュー画面が表示された後、ＳＡ３以下が再び実行されるが、ＳＡ１６の判断が否定される場合には、ＳＡ１７において、上記登録通知及び表示条件の設定画面にて全ての項目が埋められ且つ「登録」が選択されたか否かが判断される。このＳＡ１７の判断が否定される場合には、上記ＳＡ１６以下が再び実行されるが、ＳＡ１７の判断が肯定される場合には、ＳＡ１８において、その登録番号及び表示条件データ等が前記サーバ２４に送信され、ＳＡ８において、前記トップメニュー画面が表示された後、ＳＡ３以下が再び実行される。
【００４７】
ＳＡ１９の判断が否定される場合、すなわち前記トップメニュー画面にて「登録メッセージの確認」が選択されなかったと判断される場合には、図１６に示すＳＡ２４において、前記トップメニュー画面にて「メッセージの削除」が選択されたか否かが判断されるが、ＳＡ１９の判断が肯定される場合、すなわち前記トップメニュー画面にて「登録メッセージの確認」が選択されたと判断される場合には、ＳＡ２０において、前記サーバ２４に登録メッセージの確認画面の表示データが要求され、送られてきた表示データに基づき図２１に示すような登録メッセージの確認（指定）画面が表示される。斯かる登録メッセージの確認（指定）画面では、「登録番号（登録ナンバー）」、「会員ナンバー（会員番号）」、及び「パスワード」が入力できると共に、「送信」又は「中止」が選択されるようになっている。この登録メッセージの確認（指定）場面にて全ての項目が埋められ且つ「送信」が選択されると、ＳＡ２３にて入力された会員ナンバー、パスワード、及び登録番号等が前記サーバ２４に送信された後、前述したＳＡ１４乃至ＳＡ１８の処理が再び実行される。ここで、前記サーバ２４から表示データが送られてきて、ＳＡ１４の判断が否定される場合には、前記サーバ２４から送られてきたその登録メッセージの確認画面の表示データが要求され、送られてきた表示データに基づき図２２に示すような登録メッセージの確認（再設定）画面が表示される。斯かる登録メッセージの確認（再設定）画面では、登録メッセージ情報の出力される「カラオケ店（店舗名）」、「年月日（日時）」、「表示タイミング」、及び「選曲番号」が確認・再入力でき、入力されたメッセージ情報（文字情報）及び添付された画像ファイル（映像情報）が確認できると共に、「登録」又は「中止」が選択できるようになっている。そして、ＳＡ１６において、登録が中止されたか否か、すなわち上記登録メッセージの確認（再設定）画面にて「中止」が選択されたか否かが判断される。このＳＡ１６の判断が肯定される場合には、ＳＡ８において、前記トップメニュー画面が表示された後、ＳＡ３以下が再び実行されるが、ＳＡ１６の判断が否定される場合には、ＳＡ１７において、上記登録メッセージの確認（再設定）画面にて全ての項目が埋められ且つ「登録」が選択されたか否かが判断される。このＳＡ１７の判断が否定される場合には、上記ＳＡ１６以下が再び実行されるが、ＳＡ１７の判断が肯定される場合には、ＳＡ１８において、その登録番号、登録メッセージ情報、及び表示条件データ等が前記サーバ２４に送信され、ＳＡ８において、前記トップメニュー画面が表示された後、ＳＡ３以下が再び実行される。以上のＳＡ１０乃至ＳＡ２３が、前記伝言情報出力条件指定手段１３８に対応する。
【００４８】
ＳＡ２４の判断が否定される場合、すなわち前記トップメニュー画面にて「メッセージの削除」が選択されなかったと判断される場合には、ＳＡ２９において、前記トップメニュー画面にて「曲の予約」が選択されたか否かが判断されるが、ＳＡ２４の判断が肯定される場合、すなわち前記トップメニュー画面にて「メッセージの削除」が選択されたと判断される場合には、ＳＡ２５において、前記サーバ２４にメッセージの削除画面の表示データが要求され、送られてきた表示データに基づき図２３に示すようなメッセージの削除画面が表示される。斯かるメッセージの削除画面では、「会員ナンバー（会員番号）」、「パスワード」、及び削除の対象となるメッセージ情報の「登録番号（登録ナンバー）」が入力できると共に、「削除」又は「中止」が選択できるようになっている。そして、ＳＡ２６において、削除が中止されたか否か、すなわち上記メッセージの削除画面にて「中止」が選択されたか否かが判断される。このＳＡ２６の判断が肯定される場合には、ＳＡ８において、前記トップメニュー画面が表示された後、ＳＡ３以下が再び実行されるが、ＳＡ２６の判断が肯定される場合には、ＳＡ２７において、上記メッセージの削除画面にて全ての項目が埋められ且つ「削除」が選択されたか否かが判断される。このＳＡ２７の判断が否定される場合には、上記ＳＡ２６以下が再び実行されるが、ＳＡ２７の判断が肯定される場合には、ＳＡ２８において、その登録番号、会員ナンバー、及びパスワード等が前記サーバ２４に送信され、ＳＡ８において、前記トップメニュー画面が表示された後、ＳＡ３以下が再び実行される。
【００４９】
ＳＡ２９の判断が否定される場合、すなわち前記トップメニュー画面にて「曲の予約」が選択されなかったと判断される場合には、ＳＡ３４において、前記サーバ２４からエラーデータが送られてきたか否かが判断されるが、ＳＡ２９の判断が肯定される場合、すなわち前記トップメニュー場面にて「曲の予約」が選択されたと判断される場合には、ＳＡ３０において、前記サーバ２４に曲の予約画面の表示データが要求され、送られてきた表示データに基づき図２４に示すような曲の予約画面が表示される。通常、「曲の予約」が選択されるのは、ユーザ（顧客）が前述したＳＡ１５乃至ＳＡ１８において、自ら設定した表示条件に応じて指定した年月日に指定した店舗に出頭している場合であり、その店舗（カラオケボックス等）のカラオケ装置１４が設置された室内において選択操作が行われる。斯かる曲の予約画面では、既に登録されているメッセージ情報の「登録番号（登録ナンバー）」が入力できると共に、「予約」又は「中止」が選択できるようになっている。すなわち、メッセージ情報の登録番号が入力されることで、そのメッセージ情報を出力させる切っ掛けとして指定されている演奏曲が予約曲として前記カラオケ装置１４のＲＡＭ１０６に記憶されるようになっている。そして、ＳＡ３１において、予約が中止されたか否か、すなわち上記曲の予約画面にて「中止」が選択されたか否かが判断される。このＳＡ３１の判断が肯定される場合には、ＳＡ８において、前記トップメニュー画面が表示された後、ＳＡ３以下が再び実行されるが、ＳＡ３１の判断が否定される場合には、ＳＡ３２において、上記曲の予約画面にて「登録番号」が埋められ且つ「予約」が選択されたか否かが判断される。このＳＡ３２の判断が否定される場合には、上記ＳＡ３１以下が再び実行されるが、ＳＡ３２の判断が肯定される場合には、ＳＡ３３において、その予約データ（登録番号）が前記カラオケ装置１４に前記ブルートゥースモジュール５６を介して送信され、ＳＡ８において、前記トップメニュー画面が表示された後、ＳＡ３以下が再び実行される。
【００５０】
ＳＡ３４の判断が否定される場合、すなわち前記サーバ２４からエラーデータが送られてきていないと判断される場合には、ＳＡ３６において、ビデオメッセージサービス終了であるか否かが判断されるが、ＳＡ３４の判断が肯定される場合、すなわち前記サーバ２４からエラーデータが送られてきたと判断される場合には、ＳＡ３５において、前記サーバ２４から送られてきたそのエラーデータが表示された後、ＳＡ３６において、ビデオメッセージサービス終了であるか否かが判断される。このＳＡ３６の判断が否定される場合には、図１４に示すＳＡ３以下が再び実行されるが、ＳＡ３６の判断が肯定される場合には、それをもって本ルーチンが終了させられる。
【００５１】
図２５は、前記サーバ２４のＣＰＵ７８の制御作動の要部を説明するフローチャートであり、所定の周期で繰り返し実行されるものである。先ず、図２５に示すＳＢ１において、前記携帯電話機１２で前述したＳＡ６の処理が実行されてその携帯電話機１２から会員登録データが送られてきたか否かが判断される。このＳＢ１の判断が否定される場合には、ＳＢ４において、前記携帯電話機１２で前述したＳＡ１３の処理が実行されてその携帯電話機１２からメッセージ情報の登録データが送られてきたか否かが判断されるが、ＳＢ１の判断が肯定される場合には、前記顧客条件入力手段１３６に対応するＳＢ２において、送られてきた会員登録データが前述した図８に示すような会員登録用データベースに記憶され、ＳＢ３において、前記携帯電話機１２へ登録された会員ナンバーを含む登録確認データが送られた後、ＳＢ４において、前記携帯電話機１２からメッセージ情報の登録データが送られてきたか否かが判断される。
【００５２】
ＳＢ４の判断が否定される場合、すなわち前記携帯電話機１２からメッセージ情報の登録データが送られてきていないと判断される場合には、ＳＢ９において、前記携帯電話機１２で前述したＳＡ１８の処理が実行されてその携帯電話機１２から表示条件の登録データが送られてきたか否かが判断されるが、ＳＢ４の判断が肯定される場合、すなわち前記携帯電話機１２で前述したＳＡ１３の処理が実行されてその携帯電話機１２からメッセージ情報の登録データが送られてきたと判断される場合には、ＳＢ５において、送られてきた会員ナンバー及びパスワードは正しいか否かが判断される。このＳＢ５の判断が肯定される場合には、前記伝言情報入力手段１３４に対応するＳＢ６において、前記携帯電話機１２から送られてきた伝言情報（メッセージ情報）が前述した図９に示すようなメッセージ登録用データベースに記憶され、ＳＢ７において、前記携帯電話機１２に図２０に示すような登録通知画面及び表示条件設定画面の表示データが送られた後、ＳＢ９において、前記携帯電話機１２から表示条件の登録データが送られてきたか否かが判断されるが、ＳＢ５の判断が否定される場合には、ＳＢ８において、所定のエラーメッセージの表示データが前記携帯電話機１２に送られた後、ＳＢ９において、前記携帯電話機１２から表示条件の登録データが送られてきたか否かが判断される。
【００５３】
ＳＢ９の判断が否定される場合、すなわち前記携帯電話機１２から表示条件の登録データが送られてきていないと判断される場合には、ＳＢ１４において、各カラオケ装置１４に配信すべきデータがあるか否かが判断されるが、ＳＢ９の判断が肯定される場合、すなわち前記携帯電話機１２で前述したＳＡ１８の処理が実行されてその携帯電話機１２から表示条件の登録データが送られてきたと判断される場合には、ＳＢ１０において、その携帯電話機１２から送られてきた表示条件が前述した図９に示すようなメッセージ登録用データベースに記憶された後、ＳＢ１１において、その登録データが登録メッセージの変更であるか否かが判断される。このＳＢ１１の判断が否定される場合、すなわち前記携帯電話機１２から送られてきた登録番号に対応するメッセージ登録用データベースに表示条件が記憶されておらず、新規メッセージ情報の登録であると判断される場合には、ＳＢ１３において、前述した図８に示す会員登録用データベースにその登録に伴って発生する利用料金が加算されて記憶された後、ＳＢ１４において、各カラオケ装置１４に配信すべきデータがあるか否かが判断されるが、ＳＢ１１の判断が否定される場合、すなわち前記携帯電話機１２から送られてきた登録番号に対応するメッセージ登録用データベースに表示条件が記憶されていて、既に登録されたメッセージ情報の変更であると判断される場合には、ＳＢ１２において、メッセージ登録用データベースに記憶されているところの、出力される予定であった「年月日（日時）」が経過した後の変更であるか否かが判断される。このＳＢ１２の判断が否定される場合には、メッセージ情報の変更に伴って利用料金を加算することなく、ＳＢ１４において、各カラオケ装置１４に配信すべきデータがあるか否かが判断されるが、ＳＢ１２の判断が肯定される場合には、ＳＢ１３において、前述した図８に示す会員登録用データベースにその登録に伴って発生する利用料金が加算されて記憶された後、ＳＢ１４において、各カラオケ装置１４に配信すべきデータがあるか否かが判断される。
【００５４】
ＳＢ１４の判断が否定される場合、すなわち各カラオケ装置１４に配信すべきデータがないと判断される場合には、ＳＢ１７において、前記携帯電話機１２から登録メッセージ情報の確認の要求が送られてきたか否かが判断されるが、ＳＢ１４の判断が肯定される場合、すなわち各カラオケ装置１４に配信すべきデータがあると判断される場合には、ＳＢ１５において、前述した図９に示すメッセージ登録用データベースが検索され、送信済フラグが未だ送信済になっていないメッセージ情報等が各メッセージ情報毎に指定された店舗名又は店舗ナンバーに対応するカラオケ店に設置された前記カラオケ装置１４に送られる。ここで、配信されるデータは、各カラオケ店に備えられたホームサーバに送られても構わない。そして、ＳＢ１６において、未配信の曲情報（新譜情報）が各カラオケ装置１４に配信された後、ＳＢ１７において、前記携帯電話機１２から登録メッセージ情報の確認の要求が送られてきたか否かが判断される。
【００５５】
ＳＢ１７の判断が否定される場合、すなわち前記携帯電話機１２から登録メッセージ情報の確認の要求が送られてきていないと判断される場合には、ＳＢ２１において、月末（料金請求時期）であるか否かが判断されるが、ＳＢ１７の判断が肯定される場合、すなわち前記携帯電話機１２で前述したＳＡ２３の処理が実行されてその携帯電話機１２から登録メッセージ情報の確認の要求が送られてきたと判断される場合には、ＳＢ１８において、送られてきた会員ナンバー及びパスワードは正しいか否かが判断される。このＳＢ１８の判断が肯定される場合には、ＳＢ１９において、前記携帯電話機１２から送られてきた登録番号に対応するメッセージ情報の表示条件及びメッセージ情報等が前述した図９に示すメッセージ登録用データベースから読み出されて図２２に示すような登録メッセージの確認用表示データがその携帯電話機１２に送られた後、ＳＢ２１において、月末であるか否かが判断されるが、ＳＢ１８の判断が否定される場合には、ＳＢ２０において、所定のエラーメッセージの表示データが前記携帯電話機１２に送られた後、ＳＢ２１において、月末であるか否かが判断される。以上のＳＢ１０、ＳＢ１８、及びＳＢ１９が、前記伝言情報出力条件指定手段１３８に対応する。
【００５６】
ＳＢ２１の判断が否定される場合、すなわち月末（料金請求時期）ではないと判断される場合には、ＳＢ２３において、前記携帯電話機１２から所定の表示データの要求が送られてきたか否かが判断されるが、ＳＢ２１の判断が肯定される場合、すなわち月末（料金請求時期）であると判断される場合には、ＳＢ２２において、前述した図８に示す会員登録用データベースに記憶された各会員の累積利用料金が読み出されて各会員にその月の利用料金が請求されると共に、累積利用料金がクリアされた後、ＳＢ２３において、前記携帯電話機１２から所定の表示データの要求が送られてきたか否かが判断される。以上のＳＢ１２、ＳＢ１３、及びＳＢ２２が、前記課金手段１４８に対応する。
【００５７】
ＳＢ２３の判断が否定される場合、すなわち前記携帯電話機１２から所定の表示データの要求が送られてきていないと判断される場合には、ＳＢ２５において、前記携帯電話機１２からメッセージの削除の要求が送られてきたか否かが判断されるが、ＳＢ２３の判断が肯定される場合、すなわち前記携帯電話機１２で前述したＳＡ２、ＳＡ４、ＳＡ１０、ＳＡ２０、ＳＡ２５、及びＳＡ３０等の処理が実行されてその携帯電話機１２から表示データの要求が送られてきたと判断される場合には、ＳＢ２４において、その要求された表示データが前記携帯電話機１２に送られた後、ＳＢ２５において、前記携帯電話機１２からメッセージ情報の削除の要求が送られてきたか否かが判断される。
【００５８】
ＳＢ２５の判断が否定される場合、すなわち前記携帯電話機１２からメッセージ情報の削除の要求が送られてきていないと判断される場合には、それをもって本ルーチンが終了させられ、前述したＳＢ１以下の処理が再び実行されるが、ＳＢ２５の判断が肯定される場合、すなわち前記携帯電話機１２で前述したＳＡ２８の処理が実行されてその携帯電話機１２からメッセージ情報の削除の要求が送られてきたと判断される場合には、ＳＢ２６において、送られてきた会員ナンバー及びパスワードは正しいか否かが判断される。このＳＢ２６の判断が肯定される場合には、ＳＢ２７において、前記携帯電話機１２から送られてきた登録番号に対応するメッセージ情報等が前述した図９に示すメッセージ登録用データベースから消去された後、本ルーチンが終了させられるが、ＳＢ２６の判断が否定される場合には、ＳＢ２８において、所定のエラーメッセージの表示データが前記携帯電話機１２に送られた後、本ルーチンが終了させられる。
【００５９】
図２６は、前記カラオケ装置１４のＣＰＵ１０２の制御作動の要部を説明するフローチャートであって、伝言情報出力制御ルーチンを示しており、所定の周期で繰り返し実行されるものである。先ず、図２６に示すＳＣ１において、選曲キーが押されたか否かが判断される。このＳＣ１の判断が否定される場合には、ＳＣ１０において、カラオケ演奏が終了したか否かが判断されるが、ＳＣ１の判断が肯定される場合には、ＳＣ２において、入力された選曲番号が前述した図１３に示す予約曲データベースに予約曲として記憶された後、ＳＣ３において、カラオケ演奏中であるか否かが判断される。カラオケ演奏中であってこのＳＣ３の判断が肯定される場合には、ＳＣ１以下が再び実行されるが、ＳＣ３の判断が否定される場合には、ＳＣ４において、新譜情報の表示及びＢＧＭ演奏が中止させられた後、ＳＣ５において、次に演奏される予約曲が前述の図１１に示すメッセージデータベースに記憶された伝言情報（メッセージ情報）のうち、何れかのメッセージ情報の出力の切っ掛けとして指定された演奏曲であるか否かが判断される。図１３に示すように前記予約曲データベースに次の演奏曲として選曲番号のみが記憶されていてこのＳＣ５の判断が否定される場合には、ＳＣ９において、前記予約曲データベースの演奏順番に従い予約曲の演奏処理が実行された後、本ルーチンが終了させられるが、図１３に示すように前記予約曲データベースに次の演奏曲として選曲番号及び登録番号が記憶されていてＳＣ５の判断が肯定される場合には、ＳＣ６において、図１１に示す前記メッセージデータベースに記憶された出力タイミングに基づいて次に演奏される予約曲に対応するメッセージ情報の出力されるタイミングが曲の演奏前であるか否かが判断される。このＳＣ６の判断が肯定される場合、すなわち出力タイミングが曲の演奏前である場合には、ＳＣ７において、前記メッセージデータベースから登録番号に対応する登録メッセージ情報が読み出されて、例えば図２７に示すような伝言情報（メッセージ情報）が前記画像表示装置１１６に１５秒間程度表示され、ＳＣ９において、前記予約曲データベースの演奏順番に従い予約曲の演奏処理が実行された後、本ルーチンが終了させられるが、伝言情報（メッセージ情報）の出力タイミングが曲の演奏後であってＳＣ６の判断が否定される場合には、ＳＣ８において、そのメッセージ情報の表示フラグがその演奏曲の演奏後或いは間奏中にセットされ、ＳＣ９において、前記メッセージデータベースの演奏順番に従い予約曲の演奏処理が実行された後、本ルーチンが終了させられる。
【００６０】
ＳＣ１０の判断が否定される場合、すなわちカラオケ演奏が終了していないと判断される場合には、ＳＣ１７において、前記サーバ２４からの曲情報或いは伝言情報等の転送（ダウンロード）が実行されているか否かが判断されるが、ＳＣ１０の判断が肯定される場合には、ＳＣ１１において、所定のメッセージ情報の表示フラグがセットされているか否かが判断される。このＳＣ１１の判断が否定される場合には、ＳＣ１４において、カラオケ演奏の終了した演奏曲の選曲番号等が演奏実績として前記記憶装置１０８に記憶された後、ＳＣ１５において、前述した図１３に示す予約曲データベースに予約曲が記憶されているか否かが判断されるが、ＳＣ１１の判断が肯定される場合、すなわち演奏終了後にメッセージ情報を出力させる場合には、ＳＣ１２において、前述したように、前記メッセージデータベースから登録番号に対応する登録メッセージ情報が読み出されて、そのメッセージ情報（「歌ったの、聞いてくれた？」等の文字情報を含む伝言情報）が前記画像表示装置１１６に１５秒間程度表示され、ＳＣ１３において、その表示フラグがリセットされ、ＳＣ１４において、カラオケ演奏の終了した演奏曲の選曲番号等が演奏実績として前記記憶装置１０８に記憶された後、ＳＣ１５において、前述した図１３に示す予約曲データベースに予約曲が記憶されているか否かが判断される。ＳＣ１５の判断が否定される場合には、ＳＣ１６において、前記画像表示装置１１６に新譜情報が表示されてＢＧＭ演奏が実行された後、本ルーチンが終了させられるが、ＳＣ１５の判断が肯定される場合には、ＳＣ５以下が再び実行されて次の予約曲の演奏が実行される。
【００６１】
ＳＣ１７の判断が否定される場合、すなわち前記サーバ２４からの曲情報或いは伝言情報等の転送（ダウンロード）が実行されていないと判断される場合には、ＳＣ１９において、カラオケ演奏中であるか否かが判断されるが、ＳＣ１７の判断が肯定される場合、すなわち前記サーバ２４からの曲情報或いは伝言情報等の転送が実行されていると判断される場合には、ＳＣ１８において、転送されてきた曲情報或いは伝言情報等が前記記憶装置１０８のメッセージデータベース或いはＭＩＤＩ曲データベースに記憶された後、ＳＣ１９において、カラオケ演奏中であるか否かが判断される。このＳＣ１９の判断が肯定される場合には、ＳＣ２１において、前記ブルートゥースモジュール１３２からの入力が行われたか否かが判断されるが、ＳＣ１９の判断が否定される場合には、ＳＣ２０において、前記画像表示装置１１６に新譜情報が表示されてＢＧＭ演奏が実行された後、ＳＣ２１において、前記ブルートゥースモジュール１３２からの入力が行われたか否かが判断される。このＳＣ２１の判断が肯定される場合には、ＳＣ２２において、前記ブルートゥースモジュール１３２から入力された登録番号に基づいて前記記憶装置１０８に記憶されたメッセージデータベースが検索されて、その登録番号に対応するメッセージ情報の出力の切っ掛けとして指定された選曲番号が選出され、その選曲番号がメッセージ情報に対応した演奏曲の選曲番号として、前述した図１３に示す予約曲データベースにメッセージ情報の登録番号と共に記憶された後、ＳＣ３以下が再び実行されるが、ＳＣ２１の判断が否定される場合には、ＳＣ２３において、前記記憶装置１０８内に削除すべき伝言情報があるか否かが判断される。このＳＣ２３の判断が否定される場合には、それをもって本ルーチンが終了させられるが、ＳＣ２３の判断が肯定される場合には、ＳＣ２４において、削除すべき伝言情報すなわち表示が予定される年月日が既に経過した伝言情報が前記記憶装置１０８から消去された後、本ルーチンが終了させられる。
【００６２】
このように、本実施例によれば、伝言情報出力手段すなわち前記画像表示装置１１６により前記伝言情報を出力させる条件として、少なくとも出力させる前記カラオケ装置１４又は出力させる前記カラオケ装置１４を有する店舗を指定する伝言情報出力条件指定手段１３８（ＳＡ１０乃至ＳＡ２３、ＳＢ１０、ＳＢ１８、及びＳＢ１９）を含み、伝言情報入力手段１３４（ＳＡ１０乃至ＳＡ１３、ＳＢ６）により入力された伝言情報と、前記伝言情報出力条件指定手段１３８により指定された条件とを、少なくとも前記顧客情報入力手段１３６（ＳＡ４乃至ＳＡ６、ＳＢ２）により入力された顧客情報と関連付けて記憶する記憶手段すなわち前記記憶装置１０８を含むことから、前記伝言情報に明確な意味を付与することが可能とされ、音楽再生装置である前記カラオケ装置１４による簡便且つ利用価値の高い伝言システム１０を提供することができる。
【００６３】
また、前記伝言情報出力条件指定手段１３８は、前記画像表示装置１１６により前記伝言情報を出力させる条件として、更に出力させる年月日を指定するものであるため、前記伝言情報に更に明確な意味を付与することが可能となるという利点がある。
【００６４】
また、前記伝言情報出力条件指定手段１３８は、前記画像表示装置１１６により前記伝言情報を出力させる条件として、更に出力の切っ掛けとなる演奏曲を指定するものであるため、ユーザの趣味・嗜好を顕著に反映する演奏曲或いは伝言情報と相乗効果を奏する演奏曲を切っ掛けとして前記伝言情報を出力することができ、似通った趣味・嗜好を持つ相手に選択的にその伝言情報を見せたり、斯かる演奏曲により伝言情報を効果的に見せたりすることが可能となるという利点がある。
【００６５】
また、音楽再生装置である前記カラオケ装置１４及び通信端末である前記携帯電話機１２と前記広域通信網２２を介して接続されるサーバ２４を含み、前記記憶手段は、そのサーバに備えられた前記記憶装置８４であるため、そのサーバ２４により伝言情報を集中管理し、各カラオケ装置１４にその伝言情報を適宜配信することで、それらのカラオケ装置１４の負荷を可及的に低減できるという利点がある。
【００６６】
また、前記画像表示装置１１６により前記伝言情報を出力させる条件として、出力させる前記カラオケ装置１４又は出力させる前記カラオケ装置１４を有する店舗、出力させる年月日、出力の切っ掛けとなる演奏曲、及び出力のタイミングを指定する伝言情報出力条件指定手段１３８を含み、前記伝言情報入力手段１３４により入力された伝言情報と、前記伝言情報出力条件指定手段１３８により指定された条件とを、少なくとも前記顧客情報入力手段１３６により入力された顧客情報と関連付けて記憶する記憶装置８４を有するサーバ２４に前記広域通信網２２を介して接続され得ることから、前記伝言情報に明確な意味を付与することが可能とされ、簡便且つ利用価値の高い伝言システム１０を実現するカラオケ装置１４を提供することができる。
【００６７】
また、前記カラオケ装置１０の画像表示装置１１６により前記伝言情報を出力させる条件として、出力させる前記カラオケ装置１４又は出力させる前記カラオケ装置１４を有する店舗、出力させる年月日、出力の切っ掛けとなる演奏曲、及び出力のタイミングを指定する伝言情報出力条件指定手段１３８を含み、前記伝言情報入力手段１３４により入力された伝言情報と、前記伝言情報出力条件指定手段１３８により指定された条件とを、少なくとも前記顧客情報入力手段１３６により入力された顧客情報と関連付けて記憶する記憶装置８４を含むことから、前記伝言情報に明確な意味を付与することが可能とされ、前記カラオケ装置１４による簡便且つ利用価値の高い伝言システム１０を実現するサーバ２４を提供することができる。
【００６８】
また、前記伝言情報出力条件指定手段１３８により前記伝言情報を出力させる条件が指定された場合に、その指定内容に応じて利用料金を課金する課金手段１４８（ＳＢ１２、ＳＢ１３、及びＳＢ２２）を含むものであるため、新規に条件を指定する場合や、既に条件の指定されている伝言情報について表示が予定されていた年月日を経過した後にその条件を変更する場合には所定の利用料金を課金し、その他の場合、例えば既に条件の指定されている伝言情報について表示が予定されている年月日以前にその条件を変更する場合には利用料金を課金しないことで、合理的な課金が実現できるという利点がある。更に、店舗に出頭して前記携帯電話機１２から登録番号を前記カラオケ装置１４に入力することによって前記伝言情報が表示されるシステムにより、ユーザ（顧客）がいないにもかかわらず前記カラオケ装置１４において無闇に伝言情報が表示されるといったことがなく、プライバシーの保護が実現できるという利点がある。
【００６９】
続いて、本発明の他の実施例を図面に基づいて詳細に説明する。なお、以下の説明に用いる図面に関して、前述の実施例と重複する部分に関しては同一の符号を付してその説明を省略する。
【００７０】
図２８は、前記カラオケ装置１４の他の制御作動の要部を説明するフローチャートである。この制御作動は、前記カラオケ装置１４により出力されるべき伝言情報（メッセージ情報）を、必要に応じて前記サーバ２４に要求する形式の所謂オンデマンド方式の伝言情報出力制御ルーチンである。本ルーチンでは、前述したＳＣ１３において、表示され終わった伝言情報の表示フラグがリセットされた後、ＳＣ２５において、そのメッセージ情報が前記記憶装置１０８から消去される。次いで、前述したＳＣ１４が実行される。また、前述したＳＣ２２において、前記ブルートゥースモジュール１３２から入力された登録番号から、その登録番号に対応するメッセージ情報の出力の切っ掛けとして指定された選曲番号が検索され、その選曲番号がメッセージ情報に対応した演奏曲の選曲番号として、前述した図１３に示す予約曲データベースにメッセージ情報の登録番号と共に記憶された後、ＳＣ２６において、その登録番号に対応するメッセージ情報が前記サーバ２４に要求され、その要求に応じてサーバ２４から送られてきたメッセージ情報が前記記憶装置１０８に記憶される。次いで、前述したＳＣ３以下が実行される。
【００７１】
このように、前記カラオケ装置１４により出力されるべき伝言情報を、必要に応じて前記サーバ２４に要求することに加え、表示され終わった伝言情報を、その都度消去することにより、前記カラオケ装置１４の記憶装置１０８に記憶される伝言情報が可及的に少なくなるという利点がある。
【００７２】
図２９は、前記カラオケ装置１４のＣＰＵ１０２の更に別の制御作動の要部を説明するフローチャートである。この制御作動は、伝言情報出力条件の指定に際して、前述した図２０に対応する図３０に示すように、その伝言情報の表示と同期して出力させるＢＧＭ曲を指定する実施例における伝言情報出力制御ルーチンである。先ず、図２９に示すＳＤ１において、選曲キーが押されたか否かが判断される。このＳＤ１の判断が否定される場合には、ＳＤ６において、カラオケ演奏が終了したか否かが判断されるが、ＳＤ１の判断が肯定される場合には、ＳＤ２において、入力された選曲番号が前述した図１３に示す予約曲データベースに予約曲として記憶された後、ＳＤ３において、カラオケ演奏中であるか否かが判断される。このＳＤ３の判断が肯定される場合には、ＳＤ１以下が再び実行されるが、ＳＤ３の判断が否定される場合には、ＳＤ４において、新譜情報の表示及びＢＧＭ演奏が中止させられた後、ＳＤ５において、前記予約曲データベースの演奏順番に従い予約曲の演奏処理が実行された後、本ルーチンが終了させられる。
【００７３】
ＳＤ６の判断が否定される場合、すなわちカラオケ演奏が終了していないと判断される場合には、ＳＤ１３において、前記サーバ２４からの曲情報或いは伝言情報等の転送（ダウンロード）が実行されているか否かが判断されるが、ＳＤ６の判断が肯定される場合、すなわちカラオケ演奏が終了したと判断される場合には、ＳＤ７において、カラオケ演奏の終了した演奏曲の選曲番号が演奏実績として前記記憶装置１０８に記憶された後、ＳＤ８において、前述した図１３に示す予約曲データベースに予約曲が記憶されているか否かが判断される。このＳＤ８の判断が肯定される場合には、ＳＤ５において、前記予約曲データベースの演奏順番に従い予約曲の演奏処理が実行された後、本ルーチンが終了させられるが、ＳＤ８の判断が否定される場合には、ＳＤ９において、前記記憶装置１０８或いはＲＡＭ１０６に所定の会員ナンバーが記憶されているか否かが判断される。このＳＤ９の判断が否定される場合には、ＳＤ１０において、前記画像表示装置１１６に新譜情報が表示されてＢＧＭ演奏が実行された後、本ルーチンが終了させられるが、ＳＤ９の判断が肯定される場合には、ＳＤ１１において、その記憶された会員ナンバーに対応する伝言情報（メッセージ情報）が前記記憶装置１０８のメッセージデータベースに記憶されているか否かが判断される。このＳＤ１１の判断が否定される場合には、ＳＤ１０において、前記画像表示装置１１６に新譜情報が表示されてＢＧＭ演奏が実行された後、本ルーチンが終了させられるが、ＳＤ１１の判断が肯定される場合には、前記会員ナンバーに対応するメッセージ情報が前記記憶装置１０８から読み出されて前記画像表示装置１１６に表示されると共に、指定された演奏曲がＢＧＭ曲として出力され、次いで、前記画像表示装置１１６に新譜情報が表示されてＢＧＭ演奏が実行された後、本ルーチンが終了させられる。
【００７４】
ＳＤ１３の判断が否定される場合、すなわち前記サーバ２４からの曲情報或いは伝言情報等の転送（ダウンロード）が実行されていないと判断される場合には、ＳＤ１５において、カラオケ演奏中であるか否かが判断されるが、ＳＤ１３の判断が肯定される場合、すなわち前記サーバ２４からの曲情報或いは伝言情報等の転送が実行されていると判断される場合には、ＳＤ１４において、転送されてきた曲情報或いは伝言情報等が前記記憶装置１０８のメッセージデータベース或いはＭＩＤＩ曲データベースに記憶された後、ＳＤ１５において、カラオケ演奏中であるか否かが判断される。このＳＤ１５の判断が肯定される場合には、ＳＤ１７において、前記ブルートゥースモジュール１３２からの入力が行われたか否かが判断されるが、ＳＤ１５の判断が否定される場合には、ＳＤ１６において、前記画像表示装置１１６に曲間情報が表示されているか否かが判断される。このＳＤ１６の判断が否定される場合には、上述したＳＤ９において、前記記憶装置１０８或いはＲＡＭ１０６に所定の会員ナンバーが記憶されているか否かが判断されるが、ＳＤ１６の判断が肯定される場合には、ＳＤ１７において、前記ブルートゥースモジュール１３２からの入力が行われたか否かが判断される。図３１は、この入力に際して前記携帯電話機１２の表示部４２に表示される会員ナンバー入力画面である。会員ナンバーの入力は、前述の実施例と同様にユーザ（顧客）が表示条件として指定した店舗に出頭してその店舗の一室において行われる。このＳＤ１７の判断が否定される場合には、ＳＤ１９において、所定の退室操作が行われているか否かが判断されるが、ＳＤ１７の判断が肯定される場合には、ＳＤ１８において、前記ブルートゥースモジュール１３２から入力された会員ナンバーが前記記憶装置１０８或いはＲＡＭ１０６に記憶された後、ＳＤ１９において、所定の退室操作が行われているか否かが判断される。このＳＤ１９の判断が否定される場合には、ＳＤ２１において、前記記憶装置１０８内に削除すべき伝言情報があるか否かが判断されるが、ユーザ（顧客）の退室後に、店舗の従業員が特殊な操作を行う等してＳＤ１９の判断が肯定される場合には、ＳＤ２０において、前記記憶装置１０８或いはＲＡＭ１０６に記憶されている会員ナンバーと予約曲の選曲番号が消去された後、ＳＤ２１において、前記記憶装置１０８内に削除すべき伝言情報があるか否かが判断される。このＳＤ２１の判断が否定される場合には、それをもって本ルーチンが終了させられるが、ＳＤ２１の判断が肯定される場合には、ＳＤ２２において、削除すべき伝言情報すなわち表示が予定される年月日が既に経過した伝言情報が前記記憶装置１０８から消去された後、本ルーチンが終了させられる。
【００７５】
このように、前記伝言情報の表示と同期して、所望の演奏曲をＢＧＭ曲として出力させることで、ユーザの趣味・嗜好を顕著に反映する演奏曲或いは伝言情報を盛り上げる演奏曲と共に前記伝言情報を出力することができ、前記伝言情報に多様性ある意味を付与することが可能となるという利点がある。また、この実施例においては、会員ナンバーに対応する複数のメッセージ情報（伝言情報）が前記メッセージデータベースに記憶されている場合であっても、それら複数のメッセージ情報を順次曲間（非演奏時）に表示させることができる。更に、会員ナンバーを入力してはじめて伝言情報が表示・出力されるシステムにより、ユーザのプライバシーの保護が実現できるという利点がある。
【００７６】
図３２は、前記カラオケ装置１４のＣＰＵ１０２の更に別の制御作動の要部を説明するフローチャートである。この制御作動は、伝言情報出力条件の指定に際して、前述した図２０に対応する図３０に示すように、その伝言情報の表示と同期して出力させるＢＧＭ曲を指定する実施例において、一つの会員ナンバーに対応する多数の伝言情報（メッセージ情報）が前記記憶装置１０８に記憶されている場合の伝言情報出力制御ルーチンである。また、本実施例においては、図３３に示すように、会員ナンバーの入力に際して照会のためにパスワードが共に入力される。本ルーチンでは、前述したＳＤ１８において、前記ブルートゥースモジュール１３２から入力された会員ナンバーが前記記憶装置１０８或いはＲＡＭ１０６に記憶された後、ＳＤ２３において、入力された会員ナンバーに対応する登録メッセージ情報が検索され、前記ブルートゥースモジュール１３２を介してその登録メッセージ情報が前記携帯電話機１２に送られ、その携帯電話機１２の表示部４２に、図３４に示すような登録メッセージの選択画面が表示される。そして、複数の登録メッセージ情報のうちから出力させるメッセージ情報が選択されると、その選択データが前記ブルートゥースモジュール１３２から入力され、登録番号が前記記憶装置１０８或いはＲＡＭ１０６に記憶される。また、前述したＳＤ１１の判断が肯定されると、ＳＤ２４において、選択された登録番号に対応するメッセージ情報が前記記憶装置１０８から読み出されて前記画像表示装置１１６に表示されると共に、指定された演奏曲がＢＧＭ曲として出力され、次いで、前記画像表示装置１１６に新譜情報が表示されてＢＧＭ演奏が実行された後、本ルーチンが終了させられる。また、前述したＳＤ１９の判断が肯定されると、ＳＤ２５において、前記記憶装置１０８或いはＲＡＭ１０６に記憶されている会員ナンバー、登録番号、及び予約曲の選曲番号が消去された後、前述したＳＤ２１の判断が実行される。
【００７７】
以上、本発明の好適な実施例を図面に基づいて詳細に説明したが、本発明はこれに限定されるものではなく、更に別の態様においても実施される。
【００７８】
図３５は、前記携帯電話機１２の制御部４８及び前記カラオケ装置１４のＣＰＵ１０２の制御機能の要部を説明する機能ブロック線図であり、前述した図６に対応するものである。この図３５に示すように、前記伝言情報入力手段１３４により入力された伝言情報と、前記伝言情報出力条件指定手段１３８により指定された条件とを、少なくとも前記顧客情報入力手段１３６により入力された顧客情報と関連付けて記憶する記憶手段は、前記カラオケ装置１４の記憶装置１０８であってもよく、前記サーバ２４は、必ずしも設けられていなくともよい。この場合、前記伝言情報入力手段１３４、顧客情報入力手段１３６、及び伝言情報出力条件指定手段１３８に対応する制御は、前記カラオケ装置１４のＣＰＵ１０２により実行される。斯かる構成によれば、複数のカラオケ装置１４に負荷を分散することで伝言情報入出力１３４の応答性を高められるという利点がある。
【００７９】
また、前述の実施例では、専ら前記伝言情報を入力したユーザが居合わせる場合にその伝言情報を出力する態様の伝言システムについて説明したが、例えば、前記店舗指定手段１４２により所定の地理的な範囲内にある店舗群を指定させ、前記伝言情報を入力したユーザが居合わせなくともその伝言情報が出力されるようにし、且つ前記カラオケ装置１４により出力されるべき伝言情報（メッセージ情報）を、必要に応じて前記サーバ２４に要求する形式の所謂オンデマンド方式とすることで、カラオケ装置による出会い支援システムに本発明を適用させることも可能である。この場合、任意のユーザが前記演奏曲指定手段１４４により指定された演奏曲を演奏する前或いは演奏した後に、その演奏曲を切っ掛けとする複数のメッセージ情報のうちからアト・ランダムに選択されたメッセージ情報が出力される。一般に演奏曲は、ユーザの趣味・嗜好を顕著に反映するものであるため、似通った趣味・嗜好を持つ相手に選択的にその伝言情報を見せることが可能となり、利用価値の高い出会い支援システムを提供できるという利点がある。
【００８０】
その他、一々例示はしないが、本発明はその趣旨を逸脱しない範囲内において、種々の変更が加えられて実施されるものである。
【図面の簡単な説明】
【図１】本発明の一実施例である音楽再生装置による伝言システムについて説明する図である。
【図２】図１に示す携帯電話機の操作部を説明する図であり、（ａ）は開いた様子を、（ｂ）は折り畳んだ様子を示している。
【図３】図２の携帯電話機の構成を説明するブロック線図である。
【図４】図１に示す伝言サービス提供会社のサーバの構成を説明するブロック線図である。
【図５】図１に示すカラオケ装置の構成を説明するブロック線図である。
【図６】図３に示す携帯電話機の制御部、図４に示すサーバのＣＰＵ、及び図５に示すカラオケ装置のＣＰＵの制御機能の要部を説明する機能ブロック線図である。
【図７】図４に示すサーバの記憶装置に設けられたＭＩＤＩ曲データベースを説明する図である。
【図８】図４に示すサーバの記憶装置に設けられた会員登録用データベースを説明する図である。
【図９】図４に示すサーバの記憶装置に設けられたメッセージ登録用データベースを説明する図である。
【図１０】図４に示すサーバの記憶装置に設けられた店舗用データベースを説明する図である。
【図１１】図５に示すカラオケ装置の記憶装置に設けられたメッセージデータベースを説明する図である。
【図１２】図５に示すカラオケ装置の記憶装置に設けられたＭＩＤＩ曲データベースを説明する図である。
【図１３】図５に示すカラオケ装置のＲＡＭに設けられた予約曲データベースを説明する図である。
【図１４】図６に示す携帯電話機の制御作動の要部を説明するフローチャートの一部である。
【図１５】図６に示す携帯電話機の制御作動の要部を説明するフローチャートの一部である。
【図１６】図６に示す携帯電話機の制御作動の要部を説明するフローチャートの一部である。
【図１７】図２に示す携帯電話機の表示部に表示されるビデオメッセージサービスのトップメニュー画面である。
【図１８】図２に示す携帯電話機の表示部に表示されるビデオメッセージサービスの会員登録画面である。
【図１９】図２に示す携帯電話機の表示部に表示されるビデオメッセージサービスのメッセージの登録画面である。
【図２０】図２に示す携帯電話機の表示部に表示されるビデオメッセージサービスの登録通知及び表示条件の設定画面である。
【図２１】図２に示す携帯電話機の表示部に表示されるビデオメッセージサービスの登録メッセージの確認（指定）画面である。
【図２２】図２に示す携帯電話機の表示部に表示されるビデオメッセージサービスの登録メッセージの確認（再設定）画面である。
【図２３】図２に示す携帯電話機の表示部に表示されるビデオメッセージサービスのメッセージの削除画面である。
【図２４】図２に示す携帯電話機の表示部に表示されるビデオメッセージサービスの曲の予約画面である。
【図２５】図６に示すサーバの制御作動の要部を説明するフローチャートである。
【図２６】図６に示すカラオケ装置の制御作動の要部を説明するフローチャートである。
【図２７】図５に示すカラオケ装置の画像表示装置に表示される伝言情報の一例を示す図である。
【図２８】図６に示すカラオケ装置の制御作動の他の一例の要部を説明するフローチャートである。
【図２９】図６に示すカラオケ装置の制御作動の更に別の一例の要部を説明するフローチャートである。
【図３０】図２に示す携帯電話機の表示部に表示されるビデオメッセージサービスの登録通知及び表示条件の設定画面の他の一例である。
【図３１】図２に示す携帯電話機の表示部に表示されるビデオメッセージサービスの会員ナンバーの入力画面の他の一例である。
【図３２】図６に示すカラオケ装置の制御作動の更に別の一例の要部を説明するフローチャートである。
【図３３】図２に示す携帯電話機の表示部に表示されるビデオメッセージサービスの会員ナンバーの入力画面の更に別の一例である。
【図３４】図２に示す携帯電話機の表示部に表示されるビデオメッセージサービスの登録メッセージの選択画面である。
【図３５】図３に示す携帯電話機の制御部、図４に示すサーバのＣＰＵ、及び図５に示すカラオケ装置のＣＰＵの制御機能の他の一例の要部を説明する機能ブロック線図である。
【符号の説明】
１０：伝言システム
１２：携帯電話機（通信端末）
１４：カラオケ装置（音楽再生装置）
２２：広域通信網
２４：サーバ
８４、１０８：記憶装置（記憶手段）
１１６：画像表示装置（伝言情報出力手段）
１３４：伝言情報入力手段
１３６：顧客情報入力手段
１３８：伝言情報出力条件指定手段
１４８：課金手段
【図１】
2004233700.tif 000003
【図２】
2004233700.tif 000004
【図３】
2004233700.tif 000005
【図４】
2004233700.tif 000006
【図５】
2004233700.tif 000007
【図６】
2004233700.tif 000008
【図７】
2004233700.tif 000009
【図８】
2004233700.tif 000010
【図９】
2004233700.tif 000011
【図１０】
2004233700.tif 000012
【図１１】
2004233700.tif 000013
【図１２】
2004233700.tif 000014
【図１３】
2004233700.tif 000015
【図１４】
2004233700.tif 000016
【図１５】
2004233700.tif 000017
【図１６】
2004233700.tif 000018
【図１７】
2004233700.tif 000019
【図１８】
2004233700.tif 000020
【図１９】
2004233700.tif 000021
【図２０】
2004233700.tif 000022
【図２１】
2004233700.tif 000023
【図２２】
2004233700.tif 000024
【図２３】
2004233700.tif 000025
【図２４】
2004233700.tif 000026
【図２５】
2004233700.tif 000027
【図２６】
2004233700.tif 000028
【図２７】
2004233700.tif 000029
【図２８】
2004233700.tif 000030
【図２９】
2004233700.tif 000031
【図３０】
2004233700.tif 000032
【図３１】
2004233700.tif 000033
【図３２】
2004233700.tif 000034
【図３３】
2004233700.tif 000035
【図３４】
2004233700.tif 000036
【図３５】
2004233700.tif 000037